(57)【要約】【課題】光源とフォーカスレンズとの最大離間距離はより長く、光源とフォーカスレンズとの最小離間距離はより短く相対的に変動させることのできる照明装置を提供すること。【解決手段】照明装置１は、前壁２にフォーカスレンズ３が設けられている前部筐体４と、後壁６にフォーカスレンズ３を介して投光されるべき光を発光する光源７が設けられている後部筐体８と、前部筐体４及び後部筐体８間に配されていると共に当該前部筐体４の後方の部位及び当該後部筐体８の前方の部位を取り囲んでいる中部筐体９と、前部筐体４を中部筐体９に対して相対的にＸ方向に移動自在に連結する前部連結機構１０と、後部筐体８を中部筐体９に対して相対的にＸ方向に移動自在に連結する後部連結機構１１とを具備している。【選択図】図１
2010061878.tif 000002
【特許請求の範囲】
【請求項１】
前壁にフォーカスレンズが設けられていると共に後方が開放されている前部筐体と、この前部筐体に対して後方に配されており、後壁にフォーカスレンズを介して投光されるべき光を発光する光源が設けられていると共に前方が開放されている後部筐体と、前部筐体及び後部筐体間に配されていると共に当該前部筐体の後方の部位及び当該後部筐体の前方の部位を取り囲んでいる中部筐体と、前部筐体を中部筐体に対して相対的に前後方向に移動自在に連結する前部連結機構と、後部筐体を中部筐体に対して相対的に前後方向に移動自在に連結する後部連結機構とを具備しており、前部筐体の前後方向に伸びた周壁は、中部筐体の内部において後部筐体と重ね合わされて配置可能となるように、後部筐体の前後方向に伸びた周壁に対して外周側又は内周側に配されている照明装置。
【請求項２】
中部筐体に回転操作自在に設けられたフォーカスハンドルと、このフォーカスハンドルの一方の方向の回転力を前部筐体に対して後方移動力として伝達すると共に後部筐体に対して前方移動力として伝達する一方、フォーカスハンドルの他方の方向の回転力を前部筐体に対して前方移動力として伝達すると共に後部筐体に対して後方移動力として伝達する伝達手段とを具備している請求項１に記載の照明装置。
【請求項３】
中部筐体には、吊下げ支持される支持枠が設けられている請求項１又は２に記載の照明装置。
【請求項４】
光源は、複数個の発光ダイオードが配置された平面状の発光面を有している請求項１から３のいずれか一項に記載の照明装置。
【発明の詳細な説明】
【技術分野】
【０００１】
本発明は、テレビスタジオ、写真スタジオ、舞台等で使用するスポットライト等の照明装置に関する。
【背景技術】
【０００２】
【特許文献１】特開２００７−５９２２０号公報
【０００３】
例えば、特許文献１においては、光源とフォーカスレンズとの離間距離を相対的に変動させる移動機構（特許文献１の発明の詳細な説明の段落００４２等参照）を有したスポットライトからなる照明装置が提案されている。
【発明の開示】
【発明が解決しようとする課題】
【０００４】
ところで、斯かる照明装置では、光源とフォーカスレンズとの最大離間距離はより長く、光源とフォーカスレンズとの最小離間距離はより短く相対的に変動可能であることが望ましい。
【０００５】
本発明は、前記諸点に鑑みてなされたものであり、その目的とするところは、光源とフォーカスレンズとの最大離間距離はより長く、光源とフォーカスレンズとの最小離間距離はより短く相対的に変動させることのできる照明装置を提供することにある。
【課題を解決するための手段】
【０００６】
本発明の照明装置は、前壁にフォーカスレンズが設けられていると共に後方が開放されている前部筐体と、この前部筐体に対して後方に配されており、後壁にフォーカスレンズを介して投光されるべき光を発光する光源が設けられていると共に前方が開放されている後部筐体と、前部筐体及び後部筐体間に配されていると共に当該前部筐体の後方の部位及び当該後部筐体の前方の部位を取り囲んでいる中部筐体と、前部筐体を中部筐体に対して相対的に前後方向に移動自在に連結する前部連結機構と、後部筐体を中部筐体に対して相対的に前後方向に移動自在に連結する後部連結機構とを具備しており、前部筐体の前後方向に伸びた周壁は、中部筐体の内部において後部筐体と重ね合わされて配置可能となるように、後部筐体の前後方向に伸びた周壁に対して外周側又は内周側に配されている。
【０００７】
本発明の照明装置によれば、特に、前部筐体を中部筐体に対して相対的に前後方向に移動自在に連結する前部連結機構と、後部筐体を中部筐体に対して相対的に前後方向に移動自在に連結する後部連結機構とを具備しており、前部筐体の前後方向に伸びた周壁は、中部筐体の内部において後部筐体と重ね合わされて配置可能となるように、後部筐体の前後方向に伸びた周壁に対して外周側又は内周側に配されているために、光源とフォーカスレンズとの最大離間距離はより長く、光源とフォーカスレンズとの最小離間距離はより短く相対的に変動させることができ、また、光源とフォーカスレンズとの離間距離を最小にすることで照明装置全体をコンパクトにし得、搬送、設置の容易化を図り得る。
【０００８】
本発明の照明装置の好ましい例では、中部筐体に回転操作自在に設けられたフォーカスハンドルと、このフォーカスハンドルの一方の方向の回転力を前部筐体に対して後方移動力として伝達すると共に後部筐体に対して前方移動力として伝達する一方、フォーカスハンドルの他方の方向の回転力を前部筐体に対して前方移動力として伝達すると共に後部筐体に対して後方移動力として伝達する伝達手段とを具備している。このような好ましい例によれば、フォーカスハンドルの操作により光源とフォーカスレンズとの離間距離を簡単に調整し得る。尚、このような好ましい例の照明装置の伝達手段は、フォーカスハンドルの回転を前部筐体及び後部筐体に同期的に伝達するようになっていてもよい。
【０００９】
本発明の照明装置の好ましい例では、中部筐体には、吊下げ支持される支持枠が設けられている。このような好ましい例によれば、前部筐体及び後部筐体が中部筐体に対して相対的に前後方向に移動されても、照明装置全体の重心位置が変動する虞を減少させ得、而して、所望の投光を行い得、例えば、照明装置が前記伝達手段を具備し、斯かる伝達手段がフォーカスハンドルの回転を前部筐体及び後部筐体に同期的に伝達するようになっている場合には、更に照明装置全体の重心位置が変動する虞を著しく減少させ得て、より所望の投光を行い得る。
【００１０】
本発明の照明装置の好ましい例では、光源は、複数個の発光ダイオードが配置された平面状の発光面を有している。このような好ましい例では、照明装置の発熱量、消費電力を大幅に減少させ得る。
【発明の効果】
【００１１】
本発明によれば、光源とレンズとの最大離間距離はより長く、光源とレンズとの最小離間距離はより短く相対的に変動させることのできる照明装置を提供し得る。
【発明を実施するための最良の形態】
【００１２】
次に本発明を、図に示す好ましい実施の形態の例に基づいて更に詳細に説明する。なお、本発明はこれら例に何等限定されないのである。
【００１３】
図１から図９において、本例の照明装置１は、前壁２にフォーカスレンズ３が設けられていると共に後方が開放されている前部筐体４と、前部筐体４に対して後方に配されており、後壁６にフォーカスレンズ３を介して投光されるべき光を発光する光源７が設けられていると共に前方が開放されている後部筐体８と、前部筐体４及び後部筐体８間に配されていると共に当該前部筐体４の後方の部位及び当該後部筐体８の前方の部位を取り囲んでいる中部筐体９と、前部筐体４を中部筐体９に対して相対的にＸ方向（前後方向）に移動自在に連結する前部連結機構１０と、後部筐体８を中部筐体９に対して相対的にＸ方向に移動自在に連結する後部連結機構１１と、中部筐体９に回転操作自在に設けられたフォーカスハンドル１２と、フォーカスハンドル１２のＲ１方向の回転力を前部筐体４に対して後方移動力として伝達すると共に後部筐体８に対して前方移動力として伝達する一方、フォーカスハンドル１２のＲ２方向の回転力を前部筐体４に対して前方移動力として伝達すると共に後部筐体８に対して後方移動力として伝達する伝達手段１３とを具備している。本例の照明装置１は、例えばテレビスタジオ照明用のスポットライトとして用いられ得る。
【００１４】
前部筐体４は、上記の前壁２と、前壁２の周縁２１からＸ方向において後方に向かって伸びている筒状の周壁２２とを具備しており、前壁２には、フォーカスレンズ３が装着されている。フォーカスレンズ３は、アクリルレンズからなり、正面視円形状である。周壁２２の後方端２３は、光源７からの光がフォーカスレンズ３を介して投光されるように開放されている。前壁２の周縁２１には、カラーフィルタ等のフィルタを保持する保持具２４が装着されている。斯かる前部筐体４は、正面視又は背面視において四角形状、六角形状、八角形状等の多角形状であってもよく、また円形状であってもよい。
【００１５】
前部筐体４のＸ方向に伸びた周壁２２は、当該前部筐体４が中部筐体９に対してＸ方向において後方に移動された場合には、中部筐体９の内部において後部筐体８と重ね合わされて配置可能となるように、後部筐体８のＸ方向に伸びた周壁３２に対して外周側に配されている。尚、本例では、周壁２２は、周壁３２の外周側に配されているが、その逆の内周側に配されるようになっていても、中部筐体９の内部において後部筐体８と重ね合わされて配置可能となる。
【００１６】
後部筐体８は、上記の後壁６と、後壁６の周縁３１からＸ方向において前方に向かって伸びている筒状の周壁３２とを具備しており、後壁６には光源７が着脱自在に装着されている。周壁３２の前方端３３は、光源７からの光がフォーカスレンズ３を介して投光されるように開放されている。後壁６の後方側の面には、光源７からの熱を放熱する放熱板３４が装着されている。斯かる後部筐体８は、前部筐体４と同様に、正面視又は背面視において四角形状、六角形状、八角形状等の多角形状であってもよく、また円形状であってもよい。
【００１７】
Ｘ方向に直交するＹ方向（横方向）において互いに対向する周壁３２の側部３５は、中部筐体９に対して凹状となっており、斯かる凹状の側部３５には、後部連結機構１１が配される。後部筐体８のＸ方向に伸びた周壁３２は、当該後部筐体８が中部筐体９に対してＸ方向において前方に移動された場合には、中部筐体９の内部において前部筐体４と重ね合わされて配置可能となるように、前部筐体４のＸ方向に伸びた周壁２２に対して内周側に端されている。尚、本例では、周壁３２は、周壁２２の内周側に配されているが、その逆の外周側に配されるようになっていても、中部筐体９の内部において後部筐体８と重ね合わされて配置可能となる。
【００１８】
光源７は、例えば図８に示すように、複数個の発光ダイオード４１が配置された平面状の発光面４２を有している。発光面４２は正面視円形状である。発光面４２はその投光側においてアクリルフレネルレンズに覆われていてもよい。発光ダイオード４１は、発光面４２の中心から放射方向において複数個、本例では図８に示すように四個並んで配列されている。このように配列された四個の発光ダイオード４１は、発光面４２の中心及びその周縁部の夫々に配置された両極４３及び４４に放射方向において挟まれ且つ電気的に接続されている。斯かる光源７は、後壁６に着脱自在に嵌合乃至螺合される。尚、光源７に電力供給する電源４５は、後部筐体８の内部に装着されていてもよい。斯かる光源７は、例えば白熱電球１ｋＷの照明と同等の照明を６０Ｗ程度で行い得、而して、消費電力、発熱量を著しく減少させることができ、また、電源ケーブル等を縮径化等をも図り得る。
【００１９】
筒状の中部筐体９は、前部筐体４及び後部筐体８と同様に、正面視又は背面視において四角形状、六角形状、八角形状等の多角形状であってもよく、また円形状であってもよい。中部筐体９は、筒状の周壁５１と、Ｙ方向において互いに対向する周壁５１の側部壁５２に対して内周側に配された内部壁５３と、側部壁５２及び内部壁５３の後方端を連結している連結壁５４とを具備している。側部壁５２、内部壁５３及び連結壁５４の断面は、例えば図６に示すようにＵ形状である。側部壁５２、内部壁５３及び連結壁５４によって形成されるスリット部分５５には、周壁２２がＸ方向において移動自在に配されており、内部壁５３に対して内側の部分には周壁３２がＸ方向において移動自在に配されている。
【００２０】
中部筐体９の側部壁５２には、吊下げ支持される支持枠５６が設けられている。主にＸ及びＹ方向に直交する上下方向に関する投光角の調整は、支持枠５６の摘み５７を緩めて当該支持枠５６を除く照明装置１全体をＹ方向に伸びる軸心を中心として回転させ、その後摘み５７を締めて上下方向に関する所望の投光角を保持することによって行う。尚、支持枠５６の中部筐体９に対する取付位置は、支持枠５６を除く照明装置１全体の重心に配されてもよい。支持枠５６は、例えば、テレビスタジオ等の天井面に垂下された入れ子式伸縮管等からなる支持軸（図示せず）に装着される。
【００２１】
前部連結機構１０は、例えば図４から図７に示すように、Ｙ方向において互いに対向する周壁２２の側部２５にＸ方向に伸びて取り付けられたレール体６１と、Ｙ方向においてレール体６１に対向して配されるように内部壁５３にＸ方向に伸びて取り付けられているレール体６２と、レール体６１及び６２を互いに相対的にＸ方向に移動自在に連結させるべく当該レール体６１及び６２の夫々にＸ方向に移動自在に嵌合しているＸ方向に伸びたスライダ部材６３とを具備している。レール体６１及び６２は、互いに同等の長さを有している。スライダ部材６３の長さは、レール体６１及び６２の長さに対して短いか又は同等である。レール体６２が取り付けられている内部壁５３の取付部５８は、当該内部壁５３の取付部５８を除く部分に対して内周側に折り曲げられて凹状の側部３５に画成される空間に配置されており、斯かる取付部５８に取り付けられているレール体６２もまた前記空間に配置されており、これにより、前部連結機構１０を後部連結機構１１の上方又は下方、本例では下方に配置することができるので、中部筐体９から後部筐体８までの壁厚を薄く形成し得る。斯かる前部連結機構１０は、本例ではＹ方向に互いに対向する照明装置１の部位の双方に夫々設けられている。
【００２２】
後部連結機構１１は、例えば図４から図７に示すように、側部３５にＸ方向に伸びて取り付けられたレール体６６と、Ｙ方向においてレール体６６に対向して配されるように内部壁５３にＸ方向に伸びて取り付けられているレール体６７と、レール体６６及び６７を互いに相対的にＸ方向に移動自在に連結させるべく当該レール体６６及び６７の夫々にＸ方向に移動自在に嵌合しているＸ方向に伸びたスライダ部材６８とを具備している。レール体６６及び６７は、互いに同等の長さを有している。スライダ部材６８の長さは、レール体６６及び６７の長さに対して短いか又は同等である。レール体６１及び６２並びにレール対６６及び６７は夫々互いに同等の長さを有している。斯かる後部連結機構１１は、本例ではＹ方向に対向する照明装置１の部位の双方に夫々設けられている。
【００２３】
前部連結機構１０は、前部筐体４に中部筐体９に対するＸ方向の移動力が与えられた場合にレール体６１のレール体６２に対するＸ方向の移動を生じるようになっており、後部連結機構１１は、後部筐体８に中部筐体９に対するＸ方向の移動力が与えられた場合にレール体６６のレール体６７に対するＸ方向の移動を生じるようになっている。
【００２４】
尚、前部連結機構１０は、前部筐体４の周壁２２に設けられた長孔又はスリット７１及び中部筐体９に固定されていると共に長孔又はスリット７１に配されるピン等からなる突部７２を有してなる案内手段７３を具備しており、斯かる案内手段７３により前部筐体４の中部筐体９に対する相対的なＸ方向の移動を案内するようになっていてもよく、加えて、前部筐体４の中部筐体９に対する相対的なＸ方向の最大移動距離を規定するようになっていてもよい。また、前部連結機構１０は、案内手段７３と同様に形成された案内手段を具備して、後部筐体８の中部筐体９に対する相対的なＸ方向の移動を案内するようになっていてもよく、加えて、後部筐体８の中部筐体９に対する相対的なＸ方向の最大移動距離を規定するようになっていてもよい。
【００２５】
フォーカスハンドル１２は、中部筐体９の周壁５１の底部５９にＲ１及びＲ２方向に回転自在に取り付けられている。斯かるフォーカスハンドル１２は手動操作され、また、照明装置１がテレビスタジオ等の天井に垂下された支持軸に吊下げられた状態にある場合において長尺の操作棒の先端に嵌合されて操作され得る。
【００２６】
伝達手段１３は、例えば、フォーカスハンドル１２に対して前方に配されて中部筐体９に軸心８１を中心として回転自在に設けられていると共にフォーカスハンドル１２の回転が伝達されるように当該フォーカスハンドル１２の回転軸８０に歯付きの無端又は有端のベルト、チェーン等からなる連結機構を介して連結されている前方ピニオン及びこの前方ピニオンに歯合していると共にＸ方向に伸びて前部筐体４に設けられている前方ラック部材としてのラック歯付の長孔又はスリット８２と、フォーカスハンドル１２に対して後方に配されて中部筐体９に軸心８３を中心として回転自在に設けられていると共にフォーカスハンドル１２の回転が伝達されるように当該フォーカスハンドル１２の回転軸８０に歯付きの無端又は有端のベルト、チェーン等からなる連結機構を介して連結されている後方ピニオン及びこの後方ピニオンに歯合していると共にＸ方向に伸びて後部筐体８に設けられている後方ラック部材としてのラックバー８４とを具備している。斯かる伝達手段１３は、フォーカスハンドル１２の回転を前部筐体４及び後部筐体８に同期的に伝達するようになっており、前部筐体４の前方移動及び後部筐体８の後方移動を連動させる一方、前部筐体４の後方移動及び後部筐体８の前方移動を連動させるようになっている。尚、伝達手段１３の連結機構の夫々は、上述の構成に代えて、フォーカスハンドル１２に回転軸８０に装着されたピニオン及びこのピニオンに歯合すると共に前部筐体４及び後部筐体８の夫々に設けられたラック部材を具備して構成されてもよい。
【００２７】
以上の照明装置１においては、まず、フォーカスハンドル１２のＲ１方向の回転操作により前部筐体４を中部筐体９に対して相対的に後方に移動させ、この移動と同期的に、後部筐体８を中部筐体９に対して相対的に前方に移動させる。前部筐体４及び後部筐体８の夫々の移動距離は互いに同等である。斯かる移動の結果、中部筐体９の内部には前部筐体４及び後部筐体８の周壁２２及び３２が収容され、周壁３２は周壁２２の内側に配置され、而して、前部筐体４の周壁２２及び後部筐体８の周壁３２は中部筐体９の内部において互いに重ね合わされる。このように周壁２２及び３２が重ね合わされた照明装置１は図９に示すようにコンパクトになる。
【００２８】
また、フォーカスハンドル１２のＲ２方向の回転操作により前部筐体４を中部筐体９に対して相対的に前方に移動させ、この移動と同期的に、後部筐体８を中部筐体９に対して相対的に後方に移動させる。前部筐体４及び後部筐体８の夫々の移動距離は互いに同等である。斯かる移動の結果、前部筐体４及び後部筐体８の周壁２２及び３２が中部筐体９の内部から抜き出され、上述の周壁２２及び３２の重ね合わせは解除されて図１に示す長尺の状態となる。
【００２９】
本例の照明装置１は、上述の動作により光源７とフォーカスレンズ３との離間距離を調整するようになっている。
【００３０】
本例の照明装置１によれば、前壁２にフォーカスレンズ３が設けられていると共に後方が開放されている前部筐体４と、前部筐体４に対して後方に配されており、後壁６にフォーカスレンズ３を介して投光されるべき光を発光する光源７が設けられていると共に前方が開放されている後部筐体８と、前部筐体４及び後部筐体８間に配されていると共に当該前部筐体４の後方の部位及び当該後部筐体８の前方の部位を取り囲んでいる中部筐体９と、前部筐体４を中部筐体９に対して相対的にＸ方向に移動自在に連結する前部連結機構１０と、後部筐体８を中部筐体９に対して相対的にＸ方向に移動自在に連結する後部連結機構１１とを具備しており、前部筐体４のＸ方向に伸びた周壁２２は、中部筐体９の内部において後部筐体８と重ね合わされて配置可能となるように、後部筐体８のＸ方向に伸びた周壁３２に対して外周側又は内周側に配されているために、光源７とフォーカスレンズ３との最大離間距離はより長く、光源７とフォーカスレンズ３との最小離間距離はより短く相対的に変動させることができ、また、光源７とフォーカスレンズ３との離間距離を最小にすることで照明装置１全体をコンパクトにし得、搬送、設置の容易化を図り得る。
【００３１】
照明装置１によれば、中部筐体９に回転操作自在に設けられたフォーカスハンドル１２と、フォーカスハンドル１２のＲ１方向の回転力を前部筐体４に対して後方移動力として伝達すると共に後部筐体８に対して前方移動力として伝達する一方、フォーカスハンドル１２のＲ２方向の回転力を前部筐体４に対して前方移動力として伝達すると共に後部筐体８に対して後方移動力として伝達する伝達手段１３とを具備しているために、フォーカスハンドル１２の操作による前部筐体４及び後部筐体８の移動を連動させることができ、而して、光源７とフォーカスレンズ３との離間距離を簡単に調整し得る。
【００３２】
照明装置１によれば、中部筐体９には、吊下げ支持される支持枠５６が設けられているために、前部筐体４及び後部筐体８が中部筐体９に対して相対的にＸ方向に移動されても、照明装置１全体の重心位置が変動する虞を減少させ得、而して、所望の投光を行い得、例えば、照明装置１が前記伝達手段１３を具備し、斯かる伝達手段１３がフォーカスハンドル１２の回転を前部筐体４及び後部筐体８に同期的に伝達するようになっている場合には、更に照明装置１全体の重心位置が変動する虞を著しく減少させ得て、より所望の投光を行い得る。
【００３３】
照明装置１によれば、光源７は、複数個の発光ダイオード４１が配置された平面状の発光面４２を有しているために、照明装置１の発熱量、消費電力を大幅に減少させ得る。
【図面の簡単な説明】
【００３４】
【図１】本発明の実施の形態の例の側面視説明図である。
【図２】図１に示す例の底面視説明図である。
【図３】図１に示す例の正面視説明図である。
【図４】図１に示すＩＶ−ＩＶ線矢視断面拡大説明図である。
【図５】図１に示すＶ−Ｖ線矢視断面拡大説明図である。
【図６】図４に示すＶＩ−ＶＩ線矢視断面拡大説明図である。
【図７】図４に示すＶＩＩ−ＶＩＩ線矢視断面拡大説明図である。
【図８】図１に示す例の主に光源に関する説明図である。
【図９】図１に示す例の動作説明図である。
【符号の説明】
【００３５】
１  照明装置
３  フォーカスレンズ
４  前部筐体
７  光源
８  後部筐体
９  中部筐体
１０  前部連結機構
１１  後部連結機構
１２  フォーカスハンドル
１３  伝達手段
【図１】
2010061878.tif 000003
【図２】
2010061878.tif 000004
【図３】
2010061878.tif 000005
【図４】
2010061878.tif 000006
【図５】
2010061878.tif 000007
【図６】
2010061878.tif 000008
【図７】
2010061878.tif 000009
【図８】
2010061878.tif 000010
【図９】
2010061878.tif 000011